(57)【要約】      （修正有）【課題】輝度アップ可能なＬＥＤ照明装置を提供する。【解決手段】長尺状のヒートシンク１０、ＬＥＤ発光モジュール１２及び透光板１４を具えている。該ヒートシンクは底板１６と該底板の両側に位置する反射板１８を具え、これにより該ヒートシンクに収容室２０と開口２２が形成され、且つ該底板の外側に複数の放熱片２５が設けられている。該ＬＥＤ発光モジュールは該長尺状のヒートシンクの底板に設置され、並びに該収容室内に位置する。該透光板は該長尺状のヒートシンクの開口に設置され、該長尺状のヒートシンクの収容室を被覆する。【選択図】図１
0003158327.tif 000002
【実用新案登録請求の範囲】
【請求項１】
底板と該底板の両側に位置する反射板を具えることにより、収容室と開口が形成され、該底板の外側に複数の放熱片が形成されている、長尺状のヒートシンクと、
該ヒートシンクの底板に設置されて、該収容室内に位置するＬＥＤ発光モジュールと、  該ヒートシンクの開口に設置されて、該ヒートシンクの収容室を被覆する透光板と、
を包含したことを特徴とする、輝度アップ可能なＬＥＤ照明装置。
【請求項２】
請求項１記載の輝度アップ可能なＬＥＤ照明装置において、該長尺状のヒートシンクの底板に凹溝が形成され、該ＬＥＤ発光モジュールが該凹溝内に設置されたことを特徴とする、輝度アップ可能なＬＥＤ照明装置。
【請求項３】
請求項２記載の輝度アップ可能なＬＥＤ照明装置において、該長尺状のヒートシンクの二つの反射板は該凹溝の両側より外向きに延伸されたことを特徴とする、輝度アップ可能なＬＥＤ照明装置。
【請求項４】
請求項１記載の輝度アップ可能なＬＥＤ照明装置において、二つの該反射板に対応する嵌合部が設けられ、該透光板が該嵌合部に固定されて該長尺状のヒートシンクの収容室を被覆することを特徴とする、輝度アップ可能なＬＥＤ照明装置。
【請求項５】
請求項４記載の輝度アップ可能なＬＥＤ照明装置において、二つの該反射板の嵌合部が溝とされ、該透光板は該溝内に嵌合されることを特徴とする、輝度アップ可能なＬＥＤ照明装置。
【考案の詳細な説明】
【技術分野】
【０００１】
本考案は一種の輝度アップ可能なＬＥＤ照明装置に係り、特に光線を反射後に射出することで、照明輝度をアップさせられるものに関する。
【背景技術】
【０００２】
日常生活において、照明設備は不可欠の生活用品であり、人々の生活方式を変えてきた。現在、一般家庭或いは公共の屋内場所において、各種の照明設備、例えば、蛍光灯、照明灯、テーブルランプ、ペンダントライト、ネオンランプ等が使用されており、暗さのもたらす不便を照明設備により改善している。
【０００３】
異なる照明設備に関しては、その応用の用途に差異があり、例えば、一般の蛍光灯、照明灯、テーブルランプ等は、一般照明として使用され、また、特殊な用途の照明設備例えばナイトランプは人々が睡眠時に照明を提供し、その発光効率は比較的低く、補助用途のみである。
【０００４】
伝統的な灯管或いは電球は温度上昇が速く消費電力が大きいという欠点を有し、且つ照明器具を廃棄後に環境保護の問題をもたらし、このため、近年、ＬＥＤを発光源とする技術が発展した。
【０００５】
ＬＥＤは消費電力が低く、寿命が長く、ランプのウォームアップ時間が必要なく反応速度が速いという長所を有するものの、一般にＬＥＤはその輝度が伝統的なバルブ或いは灯管よりも低く、このため照明光源としてはハイパワーのＬＥＤが採用される。ハイパワーのＬＥＤはより高い輝度を提供できるが、続けて使用すると温度上昇により発光の効率に影響が生じる。このため如何にＬＥＤ照明に良好な照明効果を具備させるかが、その放熱効果をアップする以外に、業界の技術開発の重要な課題となっている。
【考案の概要】
【考案が解決しようとする課題】
【０００６】
本考案の主要な目的は、光線反射の機能を有して照明輝度を高められるＬＥＤ照明装置を提供することにある。
本考案の別の目的は、良好な放熱効果を具備することにより、使用寿命を延長し、その光減衰を減らし、照明輝度をアップするＬＥＤ照明装置を提供することにある。
本考案のさらに別の目的は、ヒートシンクに光反射の機能が設けられ、照明輝度をアップするＬＥＤ照明装置を提供することにある。
【課題を解決するための手段】
【０００７】
上述の効果及び目的を達成するため、本考案の技術特徴は、以下のとおりである。すなわち、本考案は長尺状のヒートシンク、ＬＥＤ発光モジュール及び透光板を具えている。該ヒートシンクに反射板と複数の放熱板が形成され、該ＬＥＤ発光モジュールは該長尺状のヒートシンクに設置されて、その光線が該反射板により反射され、該透光板を通り射出される。
【考案の効果】
【０００８】
こうして、本考案によると、該ＬＥＤ発光モジュールの発射した光線のうち、透光板により反射された光線は反射板により反射された後に該透光板より射出され、これにより、照明装置の照明輝度が高められる。
本考案のその他の目的、長所及び特色は、以下の好ましい実施例により詳細に説明され並びに図面が参照されることでさらに深い理解が得られるようにする。
【図面の簡単な説明】
【０００９】
【図１】本考案の断面図である。
【図２】図１の照明表示図である。
【考案を実施するための形態】
【００１０】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１１】
図１を参照されたい。これは本考案の、輝度アップ可能なＬＥＤ照明装置の断面図である。それは長尺状のヒートシンク１０、ＬＥＤ発光モジュール１２、及び透光板１４を包含する。
【００１２】
そのうち、ヒートシンク１０は一体プレス加工により形成され、底板１６と該底板１６の両側より外向きに傾斜するよう延伸された反射板１８を具え、これによりヒートシンク１０に収容室２０と開口２２が形成されている。底板１６に凹溝２４と凹溝２４の反対側に位置する複数の放熱片２５が形成され、二つの反射板１８は凹溝２４より外向きに傾斜するよう延伸され、並びにそれぞれ対応する嵌合部２６が形成され、本実施例では該嵌合部２６は嵌合溝２８とされる。底板１６の二つの反射板１８の外側の位置に強化リブ３０が形成され、それは外向きに延伸されて二つの反射板１８と接続され、並びに中空部３２を形成している。
【００１３】
ＬＥＤ発光モジュール１２は灯管式発光モジュールとされ、回路板３４と複数のＬＥＤチップ３６を包含し、それは長尺状のヒートシンク１０の底板１６上に設置され、並びに収容室２０の凹溝２４内に位置する。
【００１４】
透光板１４は長尺状のヒートシンク１０の開口２２に設置され、該長尺状のヒートシンク１０の収容室２０を被覆する。本実施例では透光板１４は二つの反射板１８の溝２８内に嵌合されて、長尺状のヒートシンク１０の収容室２０内のＬＥＤ発光モジュール１２を被覆し、これによりＬＥＤ発光モジュール１２の光線は透光板１４を通り投射されて、照明の効果を達成する。
【００１５】
図２は本考案の輝度アップ可能なＬＥＤ照明装置の表示図である。そのうち、ＬＥＤ発光モジュール１２の発射する光線の一部は透光板１４を通り射出され、一部分は透光板１４に反射されて反射板１８に至り、反射板１８により反射されて透光板１４を通り射出される。こうして、照明装置の照明輝度がアップされ、且つＬＥＤ発光モジュール１２が直接長尺状のヒートシンク１０に設置されるため、その熱エネルギーが直接長尺状のヒートシンク１０より放出され、ＬＥＤ発光モジュール１２の使用寿命が延長され、且つ有効に光減衰が減らされ、その照明輝度がアップされる。
【００１６】
以上の構造組み合わせにより、本考案はＬＥＤ発光モジュール１２が直接長尺状のヒートシンク１０に設置されるため、その熱エネルギーを有効に排出させて、光減衰を減らし、その照明輝度をアップで、顕著な機能の向上を達成している。
【００１７】
本考案の開示する実施方式は上述のとおりであるが、記載された内容は直接本考案の権利請求範囲を限定するためのものではない。本考案の属する技術領域中における通常の知識を有する者であれば、本考案に記載の精神と範囲より離脱しない前提の下で実施の形式上及び細部上、幾ばくかの変更を行うことができる。本考案の権利請求範囲は実用新案登録請求の範囲による規定に準じる。
【符号の説明】
【００１８】
１０  ヒートシンク              １２  ＬＥＤ発光モジュール
１４  透光板                    １６  底板
１８  反射板                    ２０  収容室
２２  開口                      ２４  凹溝
２５  放熱片                    ２６  嵌合部
２８  溝                        ３０  強化リブ
３２  中空部                    ３４  回路板
３６  ＬＥＤチップ
【図１】
0003158327.tif 000003
【図２】
0003158327.tif 000004